(57)【要約】【課題】デジタル１眼レフカメラに最適なフィルターレンズを提供する。【解決手段】デジタル１眼レフカメラ用フィルターは、デジタルカメラのレンズの前に取り付けられるフィルターレンズに低反射コーティングを施し、フレア、ゴーストを最小限に抑えるようにした。またフィルターレンズ外周を墨塗りし内面反射を抑制してフレア、ゴーストを最小限に押さえる構成、並びにフィルターレンズ枠をサテン仕上とすることにより不要な反射を極力除去する構成とし、デジタル１眼レフカメラに最適なフィルターレンズを提供した。【選択図】図１
2005301172.tif 000002
【特許請求の範囲】
【請求項１】
レンズ保護用フィルターレンズ面、並びに接写フィルターレンズ面のコーティングは二酸化珪素（SiO2）、フッ化マグネシウム（Mgf2）、酸化アルミニウム（Al2O3）、酸化ジルコニウム（ZrO2)の多層膜を真空蒸着装置にて蒸着コーティングしたことを特徴とするデジタル１眼レフカメラ用フィルターレンズ。
【請求項２】
円偏光フィルターレンズ面のコーティングは酸化ジルコニウム（ZrO2）、二酸化珪素（SiO2）の多層膜をイオンアシテッドデポジション法にて蒸着コーティングしたことを特徴とするデジタル１眼レフカメラ用フィルターレンズ。
【請求項３】
ソフトフォーカス用フィルターレンズ面、光量調整フィルターのレンズ面、光状効果フィルターのレンズ面のコーティングは酸化アルミニウム（Al2O2）、フッ化マグネシウム（Mgf2）、二酸化珪素（SiO2）の多層膜を真空蒸着装置にて蒸着コーティングしたことを特徴とするデジタル１眼レフカメラ用フィルターレンズ。
【請求項４】
前記レンズ保護用フィルターレンズ、接写フィルターレンズ、円偏光フィルターレンズ、ソフトフォーカス用フィルターレンズ、光量調整フィルターのレンズ、光状効果フィルターのレンズの外周小口面には墨塗りを施し各フィルターレンズ小口での内面反射を極限まで抑えたことを特徴とする請求項１乃至請求項３記載のデジタルカメラ用フィルターレンズ。
【請求項５】
前記レンズ保護用フィルターレンズ、接写フィルターレンズ、円偏光フィルターレンズ、ソフトフォーカス用フィルターレンズ、光量調整フィルターのレンズ、光状効果フィルターを嵌着する枠体はサテン仕上とし、該枠体からの不要な反射を無くしたことを特徴とする請求項１乃至４記載のデジタルカメラ用フィルターレンズ。
【発明の詳細な説明】
【技術分野】
【０００１】
本発明はデジタル１眼レフカメラ用フィルターに関するものである。
本発明は、デジタル１眼レフカメラに対応できるフィルターレンズに関するものであり、特にレンズ保護用のプロテクターフィルター、円偏光フィルター、光量調整フィルターと、特殊効果をもたらす接写用フィルター、光源に十文字の光を作る光条効果用フィルター、被写体を柔らかく表現できるソフトフォーカス用フィルターレンズの構成に関するものである。
【背景技術】
【０００２】
デジタル１眼レフカメラの普及にともないファインダー内でフィルターの使用効果をダイレクトに確認しながら撮影する方法も可能になってきた。
【０００３】
本発明はデジタル１眼レフカメラに最適なデジタルカメラ用フィルターを提供するものであり、特にレンズ保護用のフィルター、円偏光フィルター、光量調整フィルターと、特殊効果をもたらす接写用フィルター、光源に十文字の光を作る光条効果用フィルター、被写体を柔らかく表現できるソフトフォーカス用フィルターレンズを提供する。
【０００４】
デジタルカメラの撮像素子であるＣＣＤ・ＣＭOＳセンサーは光を電気信号に変換し記録していくことから、全ての光を読みとることになり、デジタルカメラレンズの内面反射、フレア、ゴースト等も画質低下の大きな原因となる。
【０００５】
デジタル１眼レフカメラのレンズは、何枚かのレンズを組み合わせて一つのレンズを構成しており、該レンズは特殊な低反射コーティング加工をしないとレンズの表面で５％ぐらいの光が反射してしまう。強い光がレンズ内に入ってくるとそれぞれのレンズの表面で反射した光がレンズ内部やカメラ内部で複雑に反射しながらフレアを生み出す。フレアの中でも光源とは異なった場所にできる光の輪や玉はゴーストと呼ばれたりしている。
【発明の開示】
【発明が解決しようとする課題】
【０００６】
而して、本発明に於けるデジタル１眼レフカメラ用フィルターは、デジタルカメラのレンズの前に取り付けられるフィルターレンズに低反射コーティングを施し、フレア、ゴーストを最小限に抑えるようにした。またフィルターレンズ外周を墨塗りし内面反射を抑制してフレア、ゴーストを最小限に押さえる構成、並びにフィルターレンズ枠をサテン仕上とすることにより不要な反射を極力除去する構成とし、デジタル１眼レフカメラに最適なフィルターレンズを提供するものである。
【課題を解決するための手段】
【０００７】
本発明は、好ましくは、レンズ保護用フィルターレンズ面、並びに接写フィルターレンズ面のコーティングにおいて、二酸化珪素（SiO2）、フッ化マグネシウム（Mgf2）、酸化アルミニウム（Al2O3）、酸化ジルコニウム（ZrO2)の多層膜を真空蒸着装置にて蒸着コーティングすることにより、フィルターレンズ面に無反射コーティングの多層膜を形成したデジタル１眼レフカメラ用のレンズ保護フィルターレンズと、手軽に草花や小物の接写を楽しむことのできるデジタル１眼カメラ用の接写フィルターレンズを提供することができた。
【０００８】
本発明は、好ましくは、円偏光フィルターレンズ面のコーティングにおいて、酸化ジルコニウム（ZrO2）、二酸化珪素（SiO2）の多層膜をイオンアシテッドデポジション法にて蒸着コーティングすることにより、デジタル１眼レフカメラ用の円偏光フィルターレンズを提供することができた。
【０００９】
また、本発明は、好ましくはソフトフォーカス用フィルターレンズ面、光量調整フィルターのレンズ面、光状効果フィルターのレンズ面のコーティングにおいて、酸化アルミニウム（Al2O3）、フッ化マグネシウム（Mgf2）、二酸化珪素（SiO2）の多層膜を真空蒸着装置にて蒸着コーティングすることにより、デジタル１眼レフカメラ用のソフトフォーカス用フィルターレンズと光量調整用フィルターレンズ、並びに光状効果フィルターレンズを提供することができた。
【００１０】
更にまた、本発明は好ましくは、前記レンズ保護用フィルターレンズ、接写フィルターレンズ、円偏光フィルターレンズ、ソフトフォーカス用フィルターレンズ、光量調整フィルターのレンズ、光状効果フィルターのレンズの小口面外周には墨塗りを施し各フィルターレンズ小口での内面反射を極限まで抑えたデジタルカメラ用フィルターレンズを提供することができた。
【００１１】
そして、本発明は好ましくは、前記レンズ保護用フィルターレンズ、接写フィルターレンズ、円偏光フィルターレンズ、ソフトフォーカス用フィルターレンズ、光量調整フィルターのレンズ、光状効果フィルターを嵌着する枠体をサテン仕上とし、該枠体からの不要な反射を無くしたデジタルカメラ用フィルターレンズを提供することができた。
【発明の効果】
【００１２】
本発明は、デジタル１眼レフカメラの普及にともないファインダー内でフィルターの使用効果をダイレクトに確認しながら撮影する方法を具現化するもので、デジタル１眼レフカメラに最適なデジタルカメラ用フィルターを提供することができた。
【００１３】
即ち、本発明に於けるデジタル１眼レフカメラ用フィルターは、デジタルカメラのレンズの前に取り付けられるフィルターレンズに低反射コーティングをそれぞれ適宜な方法で施し、フィルターレンズの装着によるフレア、ゴーストを最小限に抑えることができた。
【００１４】
また本発明は、フィルターレンズ外周を墨塗りし内面反射を抑制してフレア、ゴーストを最小限に押さえる構成、並びにフィルターレンズ枠をサテン仕上とすることによりレンズ枠からの不要な反射を極力除去する構成とし、デジタル１眼レフカメラに最適なレンズ保護用のフィルター、円偏光フィルター、光量調整フィルターと、特殊効果をもたらす接写用フィルター、光源に十文字の光を作る光条効果用フィルター、被写体を柔らかく表現できるソフトフォーカス用フィルターレンズを提供することができた。
【発明を実施するための最良の形態】
【００１５】
本発明は、デジタル１眼レフカメラに最適なデジタルカメラ用フィルターとして、特にレンズ保護用のフィルター、円偏光フィルター、光量調整フィルターと、特殊効果をもたらす接写用フィルター、光源に十文字の光を作る光条効果用フィルター、被写体を柔らかく表現できるソフトフォーカス用フィルターレンズを具体的に提供する。
【００１６】
本発明に係るレンズ保護用フィルターレンズ面、並びに接写フィルターレンズ面のコーティングは、二酸化珪素（SiO2）、フッ化マグネシウム（Mgf2）、酸化アルミニウム（Al2O3）、酸化ジルコニウム（ZrO2)の多層膜を真空蒸着装置にて蒸着コーティングし、低反射コーティング膜を構成したデジタル１眼レフカメラ用のレンズ保護用フィルターレンズと、接写フィルターレンズを提供することを要旨としている。
【００１７】
また本発明に係る円偏光フィルターレンズ面のコーティングは、酸化ジルコニウム（ZrO2）、二酸化珪素（SiO2）の多層膜をイオンアシテッドデポジション法にて蒸着コーティングし、接着方法にて製作されて熱に弱い円偏光レンズに低温加工で膜強度の大きい低反射コーティング膜を構成したデジタル１眼レフカメラ用の円偏光フィルターレンズを提供することを要旨としている。
【００１８】
更にまた、本発明に係るソフトフォーカス用フィルターレンズ面、光量調整フィルターのレンズ面、光状効果フィルターのレンズ面のコーティングは、酸化アルミニウム（Al2O3）、フッ化マグネシウム（Mgf2）、二酸化珪素（SiO2）の多層膜を真空蒸着装置にて蒸着コーティングし、低反射コーテイング膜を構成したデジタル１眼レフカメラ用のソフトフォーカスレンズ、光量調整フィルターフィルターレンズ、並びに光状効果フィルターのレンズを提供することを要旨としている。
【００１９】
そして本発明は、前記レンズ保護用フィルターレンズ、接写フィルターレンズ、円偏光フィルターレンズ、ソフトフォーカス用フィルターレンズ、光量調整フィルターのレンズ、光状効果フィルターのレンズの小口面外周には墨塗りを施し各フィルターレンズ小口での内面反射を極限まで抑えたことも、また要旨としている。
【００２０】
また、前記レンズ保護用フィルターレンズ、接写フィルターレンズ、円偏光フィルターレンズ、ソフトフォーカス用フィルターレンズ、光量調整フィルターのレンズ、光状効果フィルターを嵌着する枠体はサテン仕上とし、該枠体からの不要な反射を無くしたことも本発明の特徴である。
【実施例１】
【００２１】
図１、並びに図２は本発明の実施例１を説明するもので、図１は本発明のデジタル１眼レフカメラ用のフィルターレンズ組み立て図を示し、図２は図１の組み立て完了後の形状を示す一部断面図である。
【００２２】
図１、並びに図２において、１はフィルター枠本体、２はフィルターレンズ、３はレンズ押さえバネを示している。フィルター枠本体１には、フィルターレンズ２が嵌着するレンズ嵌着部４、レンズ押さえ内段部５、デジタルカメラ鏡筒部に螺着するための雄ねじ６、レンズ押さえバネ３の嵌合部７、他の光学系アタッチメントの螺合連結を可能にする雌ネジ８が設けられている。
【００２３】
そして、上記フィルター本体１は金属製素材にメッキし、黒色アルマイトを化学的に研磨して表面を荒らしたサテン仕上、レンズ押さえバネ３は、黒色酸化第二銅皮膜仕上を施しており、フィルター枠本体１での不要な反射を極力除去している。
【００２４】
而して、図１並びに図２にて説明したフィルター枠本体１は、レンズ保護用フィルターレンズ、ソフトフォーカス用フィルターレンズ、光量調整フィルターのレンズ等に使用できるものであり、該フィルター枠本体１にセットされるフィルターレンズ２のレンズ外周小口部９はそれぞれ墨塗りしてフィルターレンズ外周小口部９からの内面反射を極限まで抑えている。
【実施例２】
【００２５】
図３、並びに図４は本発明の実施例２を説明するもので、図３は実施例２のデジタル１眼レフカメラ用のフィルターレンズ組み立て図を示し、図４は図３の組み立て完了後の形状を示す一部断面図である。
【００２６】
図３，並びに図４において１０はフィルター回転枠、１１はワッシャー、１２はフィルターレンズ、１３は基枠である。フィルター回転枠１０には、フィルターレンズ１２が嵌着するレンズ嵌着部１４、レンズ押さえ内段部１５、ワッシャー嵌合部１６、他の光学系アタッチメントの螺合連結を可能にする雌ネジ１７が設けられている。
【００２７】
前記基枠１３にはフィルターレンズ１２の嵌合部１８とデジタルカメラ鏡筒部に螺着するための雄ねじ１９が設けられている。そして、上記フィルター回転枠１０、基枠１３等には全て金属製素材にメッキし、黒色アルマイトを化学的に研磨して表面を荒らしたサテン仕上を施しており、フィルター回転枠１０並びに基枠１３での不要な反射を極力除去している。
【００２８】
而して、図３並びに図４にて説明したフィルター回転枠１０は、円偏光用フィルターレンズ、光状効果フィルターレンズ等に使用できるものであり、該フィルター回転枠１０にセットされるフィルターレンズ１２のレンズ外周小口部２０はそれぞれ墨塗りしてフィルターレンズ外周小口部２０からの内面反射を極限まで抑えている。
【実施例３】
【００２９】
図５、並びに図６は本発明の実施例３を説明するもので、図５は実施例３のデジタル１眼レフカメラ用のフィルターレンズ組み立て図を示し、図６は図５の組み立て完了後の形状を示す一部断面図である。
【００３０】
図５、並びに図６において２１はフィルターレンズ枠、２２はフィルターレンズ、２３はレンズ押さえ環である。フィルターレンズ枠２１には、フィルターレンズ２２が嵌着するレンズ嵌着部２４、レンズ押さえ内段部２５、レンズ押さえ環嵌合部２６、該他の光学系アタッチメントの螺合連結を可能にする雌ネジ２７並びにデジタルカメラ鏡筒部に螺着するための雄ねじ２８が設けられている。
【００３１】
そして、上記フィルターレンズ枠２１には金属製素材にメッキし、黒色アルマイトを化学的に研磨して表面を荒らしたサテン仕上、レンズ押さえ環２３は、黒色酸化第二銅皮膜仕上を施しており、フィルターレンズ枠２１等での不要な反射を極力除去している。
【００３２】
而して、図５並びに図６にて説明したフィルターレンズ枠２１は、接写フィルターレンズに使用できるものであり、該フィルターレンズ枠２１にセットされるフィルターレンズ２２のレンズ外周小口部２９はそれぞれ墨塗りしてフィルターレンズ外周小口部２９からの内面反射を極限まで抑えている。
【産業上の利用可能性】
【００３３】
斯くして本発明は、デジタル１眼レフカメラに最適なデジタルカメラ用フィルターとして、特にレンズ保護用のフィルター、円偏光フィルター、光量調整フィルターと、特殊効果をもたらす接写用フィルター、光源に十文字の光を作る光条効果用フィルター、被写体を柔らかく表現できるソフトフォーカス用フィルターレンズを具体的に提供できたもので、その産業上の利用価値は多大なのもがある。
【図面の簡単な説明】
【００３４】
【図１】本発明の実施例１を示す組み立て説明図である。
【図２】本発明の実施例１を説明する一部断面説明図である。
【図３】本発明の実施例２を示す組み立て説明図である。
【図４】本発明の実施例２を説明する一部断面説明図である。
【図５】本発明の実施例３を示す組み立て説明図である。
【図６】本発明の実施例３を説明する一部断面説明図である。
【符号の説明】
【００３５】
１  フィルター枠本体
２  フィルターレンズ
３  レンズ押さえバネ
４  レンズ嵌着部  
５  レンズ押さえ内段部
６  雄ねじ
７  嵌合部        
８  雌ネジ
９  レンズ外周小口部
１０  フィルター回転枠
１１  ワッシャー
１２  フィルターレンズ
１３  基枠
１４  レンズ嵌着部
１５  レンズ押さえ内段部
１６  ワッシャー嵌合部
１７  雌ネジ
１８  嵌合部
１９  雄ネジ
２０  フィルターレンズ外周小口部
２１  フィルターレンズ枠
２２  フィルターレンズ
２３  レンズ押さえ環
２４  レンズ嵌着部
２５  レンズ押さえ内段部
２６  レンズ押さえ環嵌合部
２７  雌ネジ
２８  雄ネジ
２９  レンズ外周小口部
【図１】
2005301172.tif 000003
【図２】
2005301172.tif 000004
【図３】
2005301172.tif 000005
【図４】
2005301172.tif 000006
【図５】
2005301172.tif 000007
【図６】
2005301172.tif 000008